(57)【要約】【課題】Ｃ型スリーブの収容部に複数の電線を収容した後であっても、さらに追加の別の電線を容易且つ確実に入れて圧縮変形することで電気的且つ機械的に接続でき、圧縮ミスを防ぐことができるＣ型スリーブを提供する。【解決手段】Ｃ型スリーブ１０（１０Ａから１０Ｇ）は、複数の電線である例えば低圧側配線３の導体部４Ｍと引き込み線４の導体部４Ｍを並行状態で収容する収容部２１を有し、圧縮変形されることで低圧側配線３の導体部４Ｍと引き込み線４の導体部４Ｍを電気的且つ機械的に固定する電線接続用のＣ型スリーブであって、電線とは異なる別の電線である接地線５の導体部５Ｍを、低圧側配線３の導体部３Ｍと引き込み線４の導体部４Ｍに並行させて仮固定する電線仮固定部２５（２５Ａ、３５、４５、５５、６５、８０、９０）を有する。【選択図】図３
2020009688.tif 000002
【特許請求の範囲】
【請求項１】
複数の電線を並行状態で収容する収容部を有し、圧縮変形されることで前記複数の電線を電気的且つ機械的に固定する電線接続用のＣ型スリーブであって、
前記電線とは異なる別の電線を、前記電線に並行させて仮固定する電線仮固定部を有することを特徴とするＣ型スリーブ。
【請求項２】
前記電線仮固定部は、前記収容部内に設けられていることを特徴とする請求項１に記載のＣ型スリーブ。
【請求項３】
前記電線仮固定部は、前記収容部外に設けられていることを特徴とする請求項１に記載のＣ型スリーブ。
【請求項４】
前記電線仮固定部は、前記収容部に並行状態で収容された前記複数の電線と前記収容部の内面との間に形成される隙間を埋めるように軸方向に沿って突出することを特徴とする請求項１又は２に記載のＣ型スリーブ。
【請求項５】
前記電線仮固定部は、前記収容部を形成する内面によって片持ち支持された板状部材であり、前記別の電線に巻き付いて前記別の電線を仮固定することを特徴とする請求項２又は３に記載のＣ型スリーブ。
【請求項６】
前記複数の電線を並行状態で保持して前記収容部内に収容される電線ガイド部材を有し、
前記電線仮固定部は、前記収容部を形成する内面と、前記電線ガイド部材の外面との間に形成されることを特徴とする請求項１に記載のＣ型スリーブ。
【請求項７】
前記別の電線は、接地線であることを特徴とする請求項１乃至６の何れか１項に記載のＣ型スリーブ。
【発明の詳細な説明】
【技術分野】
【０００１】
本発明は、複数の電線を並行状態で収容した状態で圧縮変形されることで、複数の電線を電気的且つ機械的に固定する電線接続用のＣ型スリーブに関する。
【背景技術】
【０００２】
電線接続用のＣ型スリーブは、複数の電線を収容した状態で圧縮工具により圧縮変形されることにより、複数の電線を電気的且つ機械的に固定する。Ｃ型スリーブは電線から過大な張力が加わらない部分に使用される部品である。Ｃ型スリーブは複数の電線として、例えば柱上の変圧器から引き出されている低圧側電線、低電圧を工場や住宅等の需要家の配電盤につながる引き込み線等を電気的に接続し、且つ機械的に固定する。
【０００３】
特許文献１には、電線接続用のＣ型スリーブが開示されている。このＣ型スリーブは、大径の幹線と小径の２つの支線とを軸方向に並列に収容する。小径の２つの支線は、Ｃ型スリーブに形成された２つの凹溝に収容できるようになっている。Ｃ型スリーブでは、幹線と２つの支線とが収容された状態でＣ型スリーブを圧縮することで、大径の幹線と小径の２つの支線とを同時に圧着する。ここで、幹線と支線は例えば複数の金属線が撚り合わされることにより形成された撚り線である。
【先行技術文献】
【特許文献】
【０００４】
【特許文献１】特開２００９−４８７７９公報
【発明の概要】
【発明が解決しようとする課題】
【０００５】
特許文献１に記載のＣ型スリーブでは、大径の幹線と小径の２つの支線とを収容したＣ型スリーブを圧縮変形させることで、大径の幹線と小径の２つの支線とを同時に圧着する。しかし、合計３本の太さの異なる幹線と支線とを同時に圧着しようとすると、３本の幹線と支線がＣ型スリーブから逃げようとして、互いに接触しながら軸方向にずれることがある。
【０００６】
幹線と支線が互いに接触しながらずれると、撚り線である３本の幹線と支線は、撚りの一部がほどけてしまうおそれがある。幹線と支線の撚りの一部がほどけてしまうと、通電時には規定された電流容量を賄えずに幹線と支線から熱を発生する虞がある。撚り線である幹線と支線を構成する金属線が１本でも浮いてしまうと、電気的な特性が低下するので、Ｃ型スリーブの圧縮ミスとなる。このため、Ｃ型スリーブを用いた複数本の幹線と支線の固定には、細心の注意を払う必要がある。
【０００７】
また、Ｃ型スリーブに設けられた電線を収容する空間には大きな余裕がないため、Ｃ型スリーブ内に複数本の電線を挿入した後に、さらに別の電線、例えば接地線を追加的に挿入する作業が大変面倒である。
【０００８】
本発明は、上記に鑑みてなされたもので、その目的とするところは、Ｃ型スリーブの収容部に複数の電線を収容した後であっても、さらに追加の別の電線を挿入でき、圧縮変形することで電気的且つ機械的に接続でき、圧縮ミスを防ぐことができるＣ型スリーブを提供することにある。
【課題を解決するための手段】
【０００９】
上記課題を解消するために、本発明のＣ型スリーブは、複数の電線を並行状態で収容する収容部を有し、圧縮変形されることで前記複数の電線を電気的且つ機械的に固定する電線接続用のＣ型スリーブであって、前記電線とは異なる別の電線を、前記電線に並行させて仮固定する電線仮固定部を有することを特徴とする。
【発明の効果】
【００１０】
本発明は、Ｃ型スリーブの収容部に複数の電線を収容した後であっても、さらに追加の別の電線を容易且つ確実に挿入でき、圧縮変形することで電気的且つ機械的に接続でき、圧縮ミスを防ぐことができるＣ型スリーブを提供することができる。
【図面の簡単な説明】
【００１１】
【図１】本発明の実施形態に係るＣ型スリーブ１０が設けられる電力設備の一例を示す模式図である。
【図２】本発明の第１実施形態に係るＣ型スリーブ１０の外観形状を示す斜視図である。
【図３】図２に示すＣ型スリーブ１０をＧ方向から見た側面図である。
【図４】本発明の第２実施形態に係るＣ型スリーブ１０Ａの外観形状を示す斜視図である。
【図５】本発明の第３実施形態に係るＣ型スリーブ１０Ｂを示す側面図である。
【図６】図５のＣ型スリーブ１０Ｂを示す斜視図である。
【図７】（Ａ）、（Ｂ）は、本発明の第４実施形態に係るＣ型スリーブ１０Ｃを示す側面図である。
【図８】本発明の第５実施形態に係るＣ型スリーブ１０Ｄを示す側面図である。
【図９】本発明の第６実施形態に係るＣ型スリーブ１０Ｅを示す側面図である。
【図１０】本発明の第７実施形態に係るＣ型スリーブ１０Ｆを示す側面図である。
【図１１】電線ガイド部材の例を示す斜視図である。
【図１２】本発明の第８実施形態のＣ型スリーブ１０Ｇを示す図である。
【発明を実施するための形態】
【００１２】
以下、図面を用いて、本発明の実施形態を説明する。
[第１実施形態]
図１は、本発明の実施形態に係るＣ型スリーブ１０が設けられる電力設備の一例を示す模式図である。
図１に示す電力設備の例では、変圧器１が電柱上に配置されている。例えば６６００Ｖの高電圧が、高圧側配線２を通じて変圧器１に供給される。変圧器１は、この高電圧を低電圧、例えば２００Ｖに変圧する。この低電圧は、低圧側配線３を通じて変圧器１から出力され、引き込み線４（低圧線、ＣＶケーブルともいう）を通じて工場や住宅等の需要家６に供給される。
【００１３】
図示する低圧側配線３、引き込み線４、及び接地線５は、夫々導体からなる導体部３Ｍ、４Ｍ、５Ｍを有しており、電線接続用のＣ型スリーブ１０（１０Ａ〜１０Ｇ）は、導体部３Ｍと導体部４Ｍとを束ねた状態で圧接させて電気的且つ機械的に固定する。導体部５Ｍは、後述する電線仮固定部２５等に対して別途電気的機械的に固定される。
本例に示す導体部３Ｍ、４Ｍ、５Ｍは、何れも撚り線である。本例に示す低圧側配線３、引き込み線４、及び接地線５は被覆電線であり、絶縁被覆を剥離して露出させた電線部分である導体部３Ｍ、４Ｍ、５ＭをＣ型スリーブ１０によって接続する。なお、低圧側配線３、引き込み線４、接地線５の全部又は何れかは、導体部３Ｍ、４Ｍ、５Ｍが露出した裸電線でもよい。
【００１４】
接地線５は、例えば５．５ｍｍ２のビニル絶縁電線である。接地線５は、Ｃ型スリーブ１０の接地と、変圧器１の接地とに共用されている。Ｃ型スリーブ１０は、圧縮工具により圧縮変形されることで、低圧側配線３の導体部３Ｍと、引き込み線４の導体部４Ｍとが互いに位置ずれしないように保持している。これにより、Ｃ型スリーブ１０は、低圧側配線３の導体部３Ｍと、引き込み線４の導体部４Ｍとの間の電気的且つ機械的な固定を確実にする。なお、本発明の各実施形態に係るＣ型スリーブ１０は、接地線ガイド付きＣ型スリーブとも呼ぶことができる。
【００１５】
図２は、本発明の第１実施形態に係るＣ型スリーブ１０の外観形状を示す斜視図である。図３は、図２に示すＣ型スリーブ１０をＧ方向から見た側面図である。
図２と図３に示すＣ型スリーブ１０は、図１に示す低圧側配線３の導体部３Ｍと、引き込み線４の導体部４Ｍと、接地線５の導体部５Ｍとが互いに位置ずれしないように、電気的且つ機械的に固定するために用いられる。Ｃ型スリーブ１０は、導電性を有し、且つ圧縮時に変形可能な金属、例えば銅やアルミニウムにより作製されている。
【００１６】
図２と図３に示すＣ型スリーブ１０は、概略Ｃ字型の横断面形状を有している。ここでＣ型スリーブ１０における横断面とは、Ｃ型スリーブ１０によって低圧側配線３の導体部３Ｍと、引き込み線４の４Ｍとを並行な姿勢に束ねて接続したときに、各導体部の長手方向に沿う方向（Ｃ型スリーブ１０の軸方向Ｘ）に対して直交する方向における断面のことである。Ｃ型スリーブ１０は、外面１１と、内面１２と、第１端面１３（軸方向一端面）と、第２端面１４（軸方向他端面）とを有する。外面１１は、周方向の中間部に形成された平坦部分１５と、周方向の各端部に形成された湾曲部１６、１７を有する。内面１２は、周方向の中間部に形成された平坦部分１８と、周方向の各端部に形成された湾曲部１９、２０を有する。第１端面１３と第２端面１４は、例えば平坦面である。また、Ｃ型スリーブ１０は、その内部に、複数の電線（本例では導体部３Ｍと導体部４Ｍ）を並行状態で収容する収容部２１を有している。収容部２１は、内面１２によって形成される中空の空間である。
【００１７】
Ｃ型スリーブ１０は、収容部２１内に導体部３Ｍと導体部４Ｍを収容した状態で圧縮工具により圧縮変形（縮径）されることにより、導体部３Ｍと導体部４Ｍとが互いに位置ずれしないように、これらを電気的且つ機械的に固定する。即ち、内面１２の平坦部分１８と湾曲部１９、２０は、圧縮変形により導体部３Ｍと導体部４Ｍとに密着して、これらを位置ずれしないように保持する。
【００１８】
Ｃ型スリーブ１０は、外部から収容部２１内に電線を挿入する電線挿入用のスリット（開放部）３３を有する。スリット３３は、第１端面１３から第２端面１４に至るまで、軸方向Ｘ全長に沿って形成されている。この電線挿入用のスリット３３は、低圧側配線３の導体部３Ｍと、引き込み線４の導体部４Ｍと、を軸方向Ｘに沿った姿勢で収容部２１内に挿入できるようになっている。Ｃ型スリーブ１０は、図示しない工具を用いて圧縮して変形（縮径）させることで、並行状態で収容部２１内に収容された導体部３Ｍと導体部４Ｍを、電気的且つ機械的に固定する。これにより、Ｃ型スリーブ１０は導体部３Ｍと導体部４Ｍを、互いにずれが生じないようにしっかりと固定することができる。
【００１９】
図２と図３に示すＣ型スリーブ１０の第１端面１３と第２端面１４とは平行（並行）であり、Ｃ型スリーブ１０の軸方向Ｘと交差（例えば直交）している。内面１２の周方向の中央部分である平坦部分１８には電線仮固定部２５が設けられている。
電線仮固定部２５は、接地線挿通用の孔２６を有する。この接地線挿通用の孔２６は、第１端面１３から第２端面１４に亘って形成されている。言い換えれば、接地線挿通用の孔２６は、Ｃ型スリーブ１０と略同一の軸方向長を有する。電線仮固定部２５は、導電性を有し、且つ圧縮時に変形可能な金属、例えば銅やアルミニウムにより形成されている。電線仮固定部２５は、例えばＣ型スリーブ１０の軸方向長と同一の長手方向長を有する所定厚さの矩形状の板状部材により形成されている。電線仮固定部２５は、上記板状部材の短手方向の中間部を長手方向の全域に亘って一面側に突出するように湾曲（又は屈曲）させると共に、短手方向（図中上下方向）の両端部を平坦部分１８に対して、接着、溶着、或いは溶接等により固定することにより形成されている。板状部材の短手方向の中間部は、平坦部分１８から離間しており、平坦部分１８との間で接地線挿通用の孔２６を形成する。電線仮固定部２５は収容部２１内に突出して設けられている。
【００２０】
電線仮固定部２５の接地線挿通用の孔２６は、軸方向の一端開口（図中手前側）から挿入された接地線５の導体部５Ｍを、他端開口（図中奥側）に向けてＣ型スリーブ１０の軸方向Ｘに沿ってガイドする。接地線５の導体部５Ｍは、低圧側配線３の導体部３Ｍと引き込み線４の導体部４Ｍとは異なる別の電線である。この接地線挿通用の孔２６の開口断面積（軸方向Ｘと直交する方向における断面積）は、好ましくは接地線５の導体部５Ｍを挿通しやすくするために、接地線５の断面積よりもやや大きく設定されている。
【００２１】
これにより、接地線５の導体部５Ｍは、作業現場において、接地線挿通用の孔２６にガイドされつつ挿通されることで、電線仮固定部２５によって保持、即ち仮固定される。このように、電線仮固定部２５は、Ｃ型スリーブ１０を圧縮変形させる前に、接地線５の導体部５Ｍを、低圧側配線３の導体部３Ｍと引き込み線４の導体部４Ｍには干渉させずに、これらの導体部と並列状態になるように仮固定することができる。
【００２２】
収容部２１内に並列状態で収容された低圧側配線３の導体部３Ｍと引き込み線４の導体部４Ｍと平坦部分１８との間には、軸方向Ｘに沿って横断面形状が概略三角形状の隙間が形成されるが、電線仮固定部２５は当該隙間内に軸方向Ｘの全域に亘って配置される。このため、電線仮固定部２５は、導体部３Ｍと導体部４Ｍの姿勢変位を阻止する電線ガイドとして機能する。
Ｃ型スリーブ１０は、圧縮工具を用いて外面１１側から圧縮されることにより変形する。電線仮固定部２５が収容部２１内に突出しているため、Ｃ型スリーブ１０が圧縮変形される際に、低圧側配線３の導体部３Ｍと引き込み線４の導体部４Ｍが軸方向Ｘに対して傾斜する姿勢に変位することを防止できる。また、接地線５の導体部５Ｍは電線仮固定部２５によって仮固定されているため、Ｃ型スリーブ１０が圧縮変形される際に、軸方向Ｘに対して傾斜する姿勢に変位しない。
【００２３】
このように、Ｃ型スリーブ１０が圧縮変形される際に、各導体部３Ｍ、４Ｍ、５Ｍは姿勢変位を起こさない。また、姿勢変位に伴って撚りがほどけるという事態を招くことなく、各導体部３Ｍ、４Ｍ、５ＭはＣ型スリーブ１０に電気的且つ機械的に固定される。従って、通電中に、低圧側配線３の導体部３Ｍと引き込み線４の導体部４Ｍと接地線５の導体部５Ｍにおいて熱が発生することを防ぐことができる。
【００２４】
＜第１実施形態の効果＞
このように、Ｃ型スリーブ１０の収容部２１には、複数の電線である低圧側配線３の導体部３Ｍと引き込み線４の導体部４Ｍを収容するとともに、別の電線である接地線５の導体部５Ｍを、接地線挿通用の孔２６に挿入する。収容部２１内に軸方向Ｘに沿って突出するように設けた電線仮固定部２５が、低圧側配線３の導体部３Ｍと引き込み線４の導体部４Ｍと接地線５の導体部５Ｍの位置及び姿勢を保持するので、これらの電線を容易且つ確実に電気的且つ機械的に接続して固定することができる。このため、複数の電線を電気的且つ機械的に接続する作業が、作業現場において容易且つ確実に行え、圧縮ミスを防ぐことができる。
【００２５】
次に、本発明の第２実施形態から第８実施形態を、図面を参照しながら順に説明する。各実施形態の構成要素が、上述した第１実施形態の構成要素と実質的に同じである場合には、同じ符号を記して、その説明を省略する。
【００２６】
[第２実施形態]
図４は、本発明の第２実施形態に係るＣ型スリーブ１０Ａの外観形状を示す斜視図である。
図４に示す第２実施形態のＣ型スリーブ１０Ａにおいて、内面１２の平坦部分１８には、電線仮固定部２５Ａが設けられている。電線仮固定部２５Ａの接地線挿通用の孔２６Ａは、収容部２１の軸方向中間部に設けられている。孔２６Ａの軸方向Ｘに沿った長さは、Ｃ型スリーブ１０Ａの軸方向Ｘに沿った長さよりも短い。電線仮固定部２５Ａ及び接地線挿通用の孔２６Ａは、第１実施形態と同様の手法により形成することが可能である。
【００２７】
電線仮固定部２５Ａは、軸方向の一端開口（図中手前側）から接地線挿通用の孔２６Ａ内に挿入された接地線５の導体部５ＭをＣ型スリーブ１０の軸方向Ｘに沿ってガイドする。接地線５の導体部５Ｍは、低圧側配線３の導体部３Ｍと引き込み線４の導体部４Ｍとは異なる別の電線である。この接地線挿通用の孔２６Ａの開口断面積は、接地線５の導体部５Ｍの断面積よりもやや大きく設定されている。
【００２８】
これにより、接地線５の導体部５Ｍは、作業現場において、接地線挿通用の孔２６Ａにガイドされつつ挿通され、Ｃ型スリーブ１０Ａの圧縮時には、電線仮固定部２５Ａに挿通された状態、即ち軸方向Ｘに沿った姿勢を維持することができる。このように、電線仮固定部２５Ａは、Ｃ型スリーブ１０Ａを圧縮する前の段階で、接地線５の導体部５Ｍを、低圧側配線３の導体部３Ｍと引き込み線４の導体部４Ｍと並列になるように仮固定することができる。
【００２９】
Ｃ型スリーブ１０Ａは、工具を用いて外面１１側から圧縮変形される。Ｃ型スリーブ１０Ａの収容部２１内に突出する電線仮固定部２５Ａは、導体部３Ｍと導体部４Ｍとが軸方向Ｘに対して傾斜する姿勢に変位することを阻止する電線ガイドとして機能する。これにより、Ｃ型スリーブ１０Ａが圧縮変形される際に、各導体部３Ｍ、４Ｍ、５Ｍは姿勢変位を起こさず、また、姿勢変位に伴って撚りがほどけるという事態を招くことなく、各導体部３Ｍ、４Ｍ、５ＭはＣ型スリーブ１０Ａに電気的且つ機械的に固定される。
【００３０】
＜第２実施形態の効果＞
このように、Ｃ型スリーブ１０Ａの収容部２１には、複数の電線である低圧側配線３の導体部３Ｍと引き込み線４の導体部４Ｍを収容するとともに、これらとは別の電線である接地線５の導体部５Ｍを、接地線挿通用の孔２６Ａに挿入する。これにより、低圧側配線３の導体部３Ｍと引き込み線４の導体部４Ｍと接地線５の導体部５Ｍを、容易且つ確実に電気的且つ機械的に接続することができる。このため、複数の電線を電気的且つ機械的に接続する作業が、作業現場において容易且つ確実に行え、圧縮ミスを防ぐことができる。
【００３１】
[第３実施形態]
図５は、本発明の第３実施形態に係るＣ型スリーブ１０Ｂを示す側面図であり、図６は、図５のＣ型スリーブ１０Ｂを示す斜視図である。
図５と図６に示す第２実施形態のＣ型スリーブ１０Ｂにおいて、内面１２の平坦部分１８には、電線仮固定部３５が設けられている。電線仮固定部３５は、第１端面１３から第２端面１４に亘って形成されている。言い換えれば、電線仮固定部３５は、Ｃ型スリーブ１０と略同一の軸方向長を有する。
電線仮固定部３５は、導電性を有し、且つ圧縮時に変形可能な金属、例えば銅やアルミニウムにより形成されている。電線仮固定部３５は、例えばＣ型スリーブ１０の軸方向長と同一の長手方向長を有する所定厚さの矩形状の板状部材を平坦部分１８に対して、接着、溶着、或いは溶接等により固定することにより形成されている。電線仮固定部３５は、上記板状部材の短手方向の一端部を平坦部分１８に固定することにより、収容部２１内に片持ち状に突出して設けられている。即ち、電線仮固定部３５は、平坦部分１８によって片持ち支持されている。
【００３２】
電線仮固定部３５は、短手方向に湾曲変形することにより、接地線５の導体部５Ｍを巻き込んで固定する。即ち、例えば接地線５の導体部５Ｍを電線仮固定部３５の一面側（図では下面側）に添設した状態で、電線仮固定部３５を図６に示すように矢印Ｍ方向（図では下方）に折り曲げると、電線仮固定部３５は接地線５の導体部５Ｍに巻きついて、導体部５Ｍを仮固定する。
これにより、接地線５の導体部５Ｍは、作業現場において、電線仮固定部３５により、Ｃ型スリーブ１０Ｂを圧縮変形させる前の段階で位置及び姿勢を一定に保持される。このように、電線仮固定部３５は、Ｃ型スリーブ１０Ｂを圧縮変形させる前に、接地線５の導体部５Ｍを、低圧側配線３の導体部３Ｍと引き込み線４の導体部４Ｍと並列になるように保持することができる。
【００３３】
その後、Ｃ型スリーブ１０Ｂは、工具を用いて外面１１側から圧縮変形される。導体部５Ｍを巻き込んだ電線仮固定部３５は、導体部３Ｍと導体部４Ｍの姿勢変位を阻止する電線ガイドとしても機能する。Ｃ型スリーブ１０Ｂの収容部２１に接地線５の導体部５Ｍに巻き付いてこれを仮固定する電線仮固定部３５を設けることにより、導体部３Ｍ、４Ｍ、５Ｍが軸方向Ｘに対して傾斜する姿勢に変位することを阻止できる。従って、Ｃ型スリーブ１０Ｂが圧縮変形される際に、各導体部３Ｍ、４Ｍ、５Ｍは姿勢変位を起こさず、また、姿勢変位に伴って撚りがほどけるという事態を招くことなく、各導体部３Ｍ、４Ｍ、５ＭはＣ型スリーブ１０Ｂに電気的且つ機械的に固定される。
【００３４】
＜第３実施形態の効果＞
このように、Ｃ型スリーブ１０Ｂの収容部２１には、複数の電線である低圧側配線３の導体部３Ｍと引き込み線４の導体部４Ｍを収容するとともに、これらとは別の電線である接地線５の導体部５Ｍを、電線仮固定部３５に巻き込んで固定する。これにより、低圧側配線３の導体部３Ｍと引き込み線４の導体部４Ｍと接地線５の導体部５Ｍを、容易且つ確実に電気的且つ機械的に接続することができる。このため、複数の電線を電気的且つ機械的に接続する作業が、作業現場において容易且つ確実に行え、圧縮ミスを防ぐことができる。
【００３５】
[第４実施形態]
図７（Ａ）、（Ｂ）は、本発明の第４実施形態に係るＣ型スリーブ１０Ｃを示す側面図である。
図７（Ａ）に示す第４実施形態のＣ型スリーブ１０Ｃにおいて、内面１２の平坦部分１８には、電線仮固定部４５が設けられている。電線仮固定部４５は、例えば第１端面１３から第２端面１４に亘って形成されている。言い換えれば、電線仮固定部４５は、Ｃ型スリーブ１０Ｃと略同一の軸方向長を有する。電線仮固定部４５は、細幅帯状の薄板部材である第１片部４６と第２片部４７を有する。
【００３６】
第１片部４６と第２片部４７は、平坦部分１８において周方向に（図中上下方向に）離間して平行（並行）に突出して設けられている。細幅帯状の第１片部４６と第２片部４７は、導電性を有し、且つ圧縮時に変形可能な金属、例えば銅やアルミニウムにより形成されている。第１片部４６と第２片部４７は、例えばＣ型スリーブ１０Ｃの軸方向長と同一の長手方向長を有する所定厚さの矩形状の板状部材を平坦部分１８に対して、接着、溶着、或いは溶接等により固定することにより形成されている。第１片部４６と第２片部４７は、上記板状部材の短手方向の一端部を平坦部分１８に固定することにより、収容部２１内に片持ち状に突出して設けられている。即ち、第１片部４６と第２片部４７は、平坦部分１８によって片持ち支持されている。
【００３７】
電線仮固定部３５の第１片部４６と第２片部４７を利用した接地線５の仮固定方法は以下の通りである。即ち、図７（Ａ）に示すように、接地線５の導体部５Ｍを第１片部４６と第２片部４７との間に配置する。図７（Ｂ）に示すように第１片部４６と第２片部４７の自由端側を互いに近接させるように矢印Ｎ方向に折り曲げることにより、第１片部４６と第２片部４７を接地線５の導体部５Ｍの外周囲に巻き付けるようにして、接地線５の導体部５Ｍを仮固定する。
これにより、接地線５の導体部５Ｍは、作業現場において、筒状に変形した電線仮固定部４５に挿通された状態に仮固定される。このように、電線仮固定部４５は、Ｃ型スリーブ１０Ｃを圧縮する前の段階で、接地線５の導体部５ＭをＣ型スリーブの軸方向Ｘに沿った姿勢となるように仮固定する。
【００３８】
その後、Ｃ型スリーブ１０Ｃは、工具を用いて外面１１側から圧縮変形される。導体部５Ｍを巻き込んだ電線仮固定部４５は、導体部３Ｍと導体部４Ｍの姿勢変位を阻止する電線ガイドとしても機能する。Ｃ型スリーブ１０Ｃの収容部２１に接地線５の導体部５Ｍに巻き付いてこれを仮固定する電線仮固定部４５を設けることにより、導体部３Ｍ、４Ｍ、５Ｍが軸方向Ｘに対して傾斜する姿勢に変位することを阻止できる。従って、Ｃ型スリーブ１０Ｃが圧縮変形される際に、各導体部３Ｍ、４Ｍ、５Ｍは姿勢変位を起こさず、また、姿勢変位に伴って撚りがほどけるという事態を招くことなく、各導体部３Ｍ、４Ｍ、５ＭはＣ型スリーブ１０Ｃに電気的且つ機械的に固定される。
【００３９】
＜第４実施形態の効果＞
このように、Ｃ型スリーブ１０Ｃの収容部２１には、複数の電線である低圧側配線３の導体部３Ｍと引き込み線４の導体部４Ｍを収容するとともに、これらとは別の電線である接地線５の導体部５Ｍを、電線仮固定部４５に巻き込んで固定する。これにより、低圧側配線３の導体部３Ｍと引き込み線４の導体部４Ｍと接地線５の導体部５Ｍは、容易且つ確実に電気的且つ機械的に接続することができる。このため、複数の電線を電気的且つ機械的に接続する作業が、作業現場において容易且つ確実に行え、圧縮ミスを防ぐことができる。
【００４０】
[第５実施形態]
図８は、本発明の第５実施形態に係るＣ型スリーブ１０Ｄを示す側面図である。
図８に示す第５実施形態のＣ型スリーブ１０Ｄでは、内面１２ではなく外面１１の平坦部分１５に、電線仮固定部５５が設けられている。電線仮固定部５５は、例えば第１端面１３から第２端面１４に亘って形成されている。言い換えれば、電線仮固定部５５は、Ｃ型スリーブ１０Ｄと略同一の軸方向長を有する。電線仮固定部５５は、導電性を有し、圧縮時に変形可能な金属、例えば銅やアルミニウムにより作られている。電線仮固定部５５は、例えばＣ型スリーブ１０Ｄの軸方向長と同一の長手方向長を有する所定厚さの矩形状の板状部材を平坦部分１５に対して、接着、溶着、或いは溶接等により固定することにより形成されている。電線仮固定部５５は、上記板状部材の短手方向の一端部を平坦部分１５に固定することにより、Ｃ型スリーブ１０Ｄの外方に片持ち状に突出して設けられている。即ち、電線仮固定部５５は、平坦部分１５によって片持ち支持されている。
【００４１】
電線仮固定部５５は、短手方向に湾曲変形することにより、接地線５の導体部５Ｍを巻き込んで固定する。即ち、例えば接地線５の導体部５Ｍを電線仮固定部５５の一面側（図８では下面側）に添設した状態で、電線仮固定部５５を図８に示すように矢印Ｋ方向（図では下方）に折り曲げると、電線仮固定部５５は接地線５の導体部５Ｍに巻き付いて、導体部５Ｍを仮固定する。
これにより、接地線５の導体部５Ｍは、半筒状に変形した電線仮固定部５５に挿通された状態で固定される。このように、電線仮固定部５５は、Ｃ型スリーブ１０Ｄを圧縮する前の段階で、接地線５の導体部５Ｍを、低圧側配線３の導体部３Ｍと引き込み線４の導体部４Ｍと並列になるように保持する。
【００４２】
その後、Ｃ型スリーブ１０Ｄは、工具を用いて外面１１側から圧縮変形される。Ｃ型スリーブ１０Ｄの外面１１の平坦部分１５に電線仮固定部５５を突出形成することにより、接地線５の導体部５Ｍを収容部２１内に挿入する必要がなくなる。従って、低圧側配線３の導体部３Ｍと引き込み線４の導体部４Ｍとが挿入された収容部２１内に、接地線５の導体部５Ｍを押し込み挿入する必要がなく、接地線５の導体部５Ｍの撚りがほどけることを防止できる。これにより、低圧側配線３の導体部３Ｍと引き込み線４の導体部４Ｍは、Ｃ型スリーブ１０Ｄにおいて、内面１２により保持され、低圧側配線３の導体部３Ｍと引き込み線４の導体部４Ｍと接地線５の導体部５Ｍは、Ｃ型スリーブ１０Ｄを介して電気的且つ機械的に接続される。
【００４３】
＜第５実施形態の効果＞
このように、Ｃ型スリーブ１０Ｄの収容部２１には、複数の電線である低圧側配線３の導体部３Ｍと引き込み線４の導体部４Ｍを収容するとともに、別の電線である接地線５の導体部５Ｍを、電線仮固定部５５により固定する。これにより、低圧側配線３の導体部３Ｍと引き込み線４の導体部４Ｍと接地線５の導体部５Ｍは、容易且つ確実に電気的且つ機械的に接続することができる。このため、複数の電線を電気的且つ機械的に接続する作業が、作業現場において容易且つ確実に行え、圧縮ミスを防ぐことができる。
【００４４】
[第６実施形態]
図９は、本発明の第６実施形態に係るＣ型スリーブ１０Ｅを示す側面図である。
図９に示す第６実施形態のＣ型スリーブ１０Ｅでは、外面１１の平坦部分１５に、電線仮固定部６５が設けられている。電線仮固定部６５は、例えば第１端面１３から第２端面１４に亘って形成されている。言い換えれば、電線仮固定部５５は、Ｃ型スリーブ１０Ｅと略同一の軸方向長を有する。
電線仮固定部６５は、第１片部６５Ａと第２片部６５Ｂを有する。
第１片部６５Ａと第２片部６５Ｂは、平坦部分１５において周方向に（図中上下方向に）離間して平行（並行）に突出して設けられている。第１片部６５Ａと第２片部６５Ｂは、導電性を有し、且つ圧縮時に変形可能な金属、例えば銅やアルミニウムにより形成されている。第１片部６５Ａと第２片部６５Ｂは、例えばＣ型スリーブ１０Ｅの軸方向長と同一の長手方向長を有する所定厚さの矩形状の板状部材を平坦部分１５に対して、接着、溶着、或いは溶接等により固定することにより形成されている。第１片部６５Ａと第２片部６５Ｂは、上記板状部材の短手方向の一端部を平坦部分１５に固定することにより、Ｃ型スリーブ１０Ｅの外方に片持ち状に突出して設けられている。即ち、第１片部６５Ａと第２片部６５Ｂは、平坦部分１５によって片持ち支持されている。
【００４５】
電線仮固定部６５の第１片部６５Ａと第２片部６５Ｂを利用した接地線５の仮固定方法は、第４実施形態と同様である。即ち、接地線５の導体部５Ｍを軸方向（紙面に垂直な方向）に沿った姿勢で第１片部６５Ａと第２片部６５Ｂとの間に配置し、第１片部６５Ａと第２片部６５Ｂの自由端側を互いに近接させるように矢印Ｌ方向に折り曲げることにより、第１片部６５Ａと第２片部６５Ｂを接地線５の導体部５Ｍの外周囲に巻き付けるようにして、接地線５の導体部５Ｍを固定する。
これにより、接地線５の導体部５Ｍは、作業現場において、筒状に変形した電線仮固定部６５に挿通された状態に仮固定される。このように、電線仮固定部６５は、Ｃ型スリーブ１０Ｅを圧縮する前の段階で、接地線５の導体部５Ｍを、Ｃ型スリーブの軸方向（紙面に垂直な方向）に沿った姿勢となるように仮固定することができる。
【００４６】
その後、Ｃ型スリーブ１０Ｅは、工具を用いて外面１１側から圧縮変形される。Ｃ型スリーブ１０Ｅの外面１１の平坦部分１５に電線仮固定部６５を突出形成することにより、接地線５の導体部５Ｍを収容部２１内に挿入する必要がなくなる。従って、低圧側配線３の導体部３Ｍと引き込み線４の導体部４Ｍとが挿入された収容部２１内に、接地線５の導体部５Ｍを押し込み挿入する必要がなく、接地線５の導体部５Ｍの撚りがほどけることを防止できる。これにより、低圧側配線３の導体部３Ｍと引き込み線４の導体部４Ｍは、Ｃ型スリーブ１０Ｅの収容部２１内において、内面１２により固定される。これにより、低圧側配線３の導体部３Ｍと引き込み線４の導体部４Ｍと接地線５の導体部５Ｍは、電気的且つ機械的に接続される。
【００４７】
＜第６実施形態の効果＞
このように、Ｃ型スリーブ１０Ｅの収容部２１には、複数の電線である低圧側配線３の導体部３Ｍと引き込み線４の導体部４Ｍを収容するとともに、別の電線である接地線５の導体部５Ｍを、電線仮固定部６５により固定する。これにより、低圧側配線３の導体部３Ｍと引き込み線４の導体部４Ｍと接地線５の導体部５Ｍは、容易且つ確実に電気的且つ機械的に接続することができる。このため、複数の電線を電気的且つ機械的に接続する作業が、作業現場において容易且つ確実に行え、圧縮ミスを防ぐことができる。
【００４８】
[第７実施形態]
図１０は、本発明の第７実施形態に係るＣ型スリーブ１０Ｆを示す側面図である。図１１は、電線ガイド部材の例を示す斜視図である。図１０に示すように、低圧側配線３の導体部３Ｍと引き込み線４の導体部４Ｍは、図１１に示すような電線ガイド部材７０の中に挿入されている。電線ガイド部材７０は、複数の電線を並列状態で保持した状態で収容部２１内に配置可能な形状及び大きさを有する。
【００４９】
電線ガイド部材７０は側面視で、概略８の字形状、或いは、２つの円の一部分が重なるように結合されたような外形状を有する。電線ガイド部材７０は、第１半円筒部７１と、第２半円筒部７２と、接続部７３Ａ、７３Ｂとを有する。第１半円筒部７１と第２半円筒部７２は、凹型の接続部７３Ａ、７３Ｂにより接続されている。第１半円筒部７１の直径と第２半円筒部７２の直径（内径）は、夫々、低圧側配線３と引き込み線４の太さ（外径）に合わせて設定されている。電線ガイド部材７０は、例えば第１端面１３から第２端面１４に至るまでの軸方向Ｘに沿った長さを有している。しかし、電線ガイド部材７０の軸方向Ｘの長さは、これよりも短くても良い。仮に、電線ガイド部材７０の軸方向Ｘの長さをＣ型スリーブ１０Ｆの軸方向Ｘの長さよりも長くすれば、Ｃ型スリーブ１０Ｆを圧縮変形させる前の段階において電線ガイド部材７０が低圧側配線３と引き込み線４を並列状態で保持する機能が向上する。
【００５０】
図１０に示すように、電線ガイド部材７０を収容部２１内に配置したときに、第１半円筒部７１は、内面１２の曲面部１９に内接しており、第２半円筒部７２は、内面１２の曲面部１９に内接している。
収容部２１を形成する内面１２の平坦部分１８と、この平坦部分１８と対面している電線ガイド部材７０の接続部７３Ａとの間には、接地線５を仮固定するための隙間（空間）である電線仮固定部８０が形成されている。電線仮固定部８０内に接地線５の導体部５Ｍを挿入することで、接地線５の導体部５Ｍが収容部２１内に仮固定されている。
【００５１】
＜第７実施形態の効果＞
図１０に示すように、電線ガイド部材７０がＣ型スリーブ１０Ｆの収容部２１内に配置され、電線ガイド部材７０内には、低圧側配線３の導体部３Ｍと引き込み線４の導体部４Ｍが軸方向Ｘに沿って並列に配列されている。低圧側配線３の導体部３Ｍと引き込み線４の導体部４Ｍは、電線ガイド部材７０によってその姿勢を拘束される。しかも、平坦部分１８と対面している電線ガイド部材７０の接続部７３Ａとの間には、接地線５の導体部５Ｍが挿入され、接地線５の導体部５Ｍは、低圧側配線３の導体部３Ｍと引き込み線４の導体部３Ｍと並行である。
この状態で、Ｃ型スリーブ１０Ｆは、図示しない工具を用いて圧縮変形されることで、低圧側配線３の導体部３Ｍと引き込み線４の導体部４Ｍと接地線５の導体部５Ｍとを並列に配置して、電気的に接触した状態を保持しながら互いにずれが生じないように固定することができる。
【００５２】
[第８実施形態]
図１２は、本発明の第８実施形態に係るＣ型スリーブ１０Ｇを示す側面図である。図１２に示すＣ型スリーブ１０Ｇが図１０に示すＣ型スリーブ１０Ｆと異なるのは、電線ガイド部材７０の接続部７３Ａの形状である。
この接続部７３Ａの厚みは、接続部７３Ｂの厚みに比べて大きくなっている。この肉厚の接続部７３Ａの外面側には、接地線５の導体部５Ｍをはめ込むための凹部５Ｔが設けられている。すなわち、Ｃ型スリーブ１０Ｇの内面１２の平坦部分１８と電線ガイド部材７０の接続部７３Ａの凹部５Ｔとは、接地線５の導体部５Ｍを仮固定するための電線仮固定部９０を構成している。
【００５３】
＜第８実施形態の効果＞
図１０に示すように、電線ガイド部材７０がＣ型スリーブ１０Ｇの収容部２１内に配置されており、電線ガイド部材７０内には、低圧側配線３の導体部３Ｍと引き込み線４の導体部４Ｍが軸方向Ｘに沿って並行に配列されている。低圧側配線３の導体部３Ｍと引き込み線４の導体部４Ｍは、電線ガイド部材７０によってその姿勢を拘束される。しかも、平坦部分１８と対面している電線ガイド部材７０の接続部７３Ａとの間には、接地線５の導体部５Ｍが挿入され、接地線５の導体部５Ｍは、低圧側配線３の導体部３Ｍと引き込み線４の導体部４Ｍと並行である。
この状態で、Ｃ型スリーブ１０Ｇは、図示しない工具を用いて圧縮変形されることで、低圧側配線３の導体部３Ｍと引き込み線４の導体部４Ｍと接地線５の導体部５Ｍとを並列に配置して、電気的に接触した状態を保持しながら互いにずれが生じないように固定することができる。
【００５４】
[本発明の実施形態の構成と効果のまとめ]
以上説明したように、本発明の各実施形態に示した電線接続用のＣ型スリーブ１０（１０Ａ〜ら１０Ｇ）は、複数の電線である例えば低圧側配線３の導体部４Ｍと引き込み線４の導体部４Ｍを並行状態で収容する収容部２１を有し、圧縮変形されることで低圧側配線３の導体部３Ｍと引き込み線４の導体部４Ｍを電気的且つ機械的に固定する。
第１実施態様に係るＣ型スリーブ１０（１０Ａから１０Ｇ）は、低圧側配線３の導体部４Ｍと引き込み線４の導体部４Ｍとは異なる別の電線である接地線５の導体部５Ｍを、低圧側配線３の導体部４Ｍと引き込み線４の導体部４Ｍに並行させて仮固定する電線仮固定部２５（２５Ａ、３５、４５、５５、６５、８０、９０）を有する。
【００５５】
本態様によれば、Ｃ型スリーブの収容部２１に低圧側配線３の導体部３Ｍと引き込み線４の導体部４Ｍを収容した後であっても、さらに追加の別の電線である接地線５の導体部５Ｍを容易且つ確実に電気的且つ機械的に接続でき、圧縮ミスを防ぐことができる。
【００５６】
第２実施態様において電線仮固定部２５（２５Ａ、３５、４５、８０、９０）は、収容部２１内に設けられている。本態様によれば、接地線５の導体部５Ｍは、収容部２１内において、この電線仮固定部を用いて容易に仮固定することができる。
【００５７】
第３実施態様において電線仮固定部５５、６５は、収容部２１外に設けられている。本態様によれば、接地線５の導体部５Ｍは、収容部２１外において、この電線仮固定部を用いて容易に仮固定することができる。
【００５８】
第４実施態様において電線仮固定部２５（２５Ａ、３５、４５、８０、９０）は、収容部２１に並行状態で収容された低圧側配線３の導体部４Ｍと引き込み線４の導体部４Ｍと収容部２１の内面１２との間に形成される隙間を埋めるように軸方向Ｘに沿って突出する。本態様によれば、接地線５は、収容部２１の内面１２側において、電線仮固定部を用いて容易に仮固定することができる。また、低圧側配線３の導体部４Ｍと引き込み線４の導体部４Ｍが軸方向Ｘに対して傾斜する姿勢に変位することを阻止できる。
【００５９】
第５実施態様において電線仮固定部３５、４５は、収容部２１を形成する内面１２によって片持ち支持された板状部材であり、別の電線としての接地線５の導体部５Ｍに巻き付いて導体部５Ｍを仮固定する。本態様によれば、接地線５は、内面１２において、電線仮固定部３５、４５を折り曲げるだけで、電線仮固定部３５、４５を用いて容易に仮固定することができる。
【００６０】
第６実施態様において複数の電線である低圧側配線３の導体部３Ｍと引き込み線４の導体部４Ｍを並行状態で保持して収容部２１内に収容される電線ガイド部材７０を有し、電線仮固定部８０は、収容部２１を形成する内面１２と、電線ガイド部材の外面との間に形成される
本態様によれば、接地線５の導体部５Ｍは、内面１２側において、電線ガイド部材７０を利用して、容易に仮固定することができる。
【００６１】
第７実施態様において別の電線は、接地線５の導体部５Ｍである。本態様によれば、接地線５の導体部５Ｍを接続する作業現場において、接地線５の導体部５Ｍは、電線仮固定部を用いてＣ型スリーブに対して容易に電気的且つ機械的に接続することができる。
【００６２】
以上、本発明の実施形態を説明したが、発明の範囲を限定するものではない。本発明の要旨を逸脱しない範囲で、種々の省略、置き換え、変更等を行える。
図示例では、複数の電線としては、低圧側配線３の導体部３Ｍと引き込み線４の導体部４Ｍを例に挙げており、別の電線としては、接地線５の導体部５Ｍを例に挙げている。しかしこれに限らず、電線の種類は、現場の状況に応じて任意に設定することができる。
【符号の説明】
【００６３】
１…変圧器、２…高圧側配線、３…低圧側配線、３Ｍ…導体部（電線）、４…引き込み線、４Ｍ…導体部（電線）、５…接地線、５Ｍ…導体部（別の電線）、１０、１０Ａ〜１０Ｇ…Ｃ型スリーブ、１１…外面、１２…内面、２１…収容部、２５、２５Ａ、３５、４５、５５、６５、８０、９０…電線仮固定部７０…電線ガイド部材
【図１】
2020009688.tif 000003
【図２】
2020009688.tif 000004
【図３】
2020009688.tif 000005
【図４】
2020009688.tif 000006
【図５】
2020009688.tif 000007
【図６】
2020009688.tif 000008
【図７】
2020009688.tif 000009
【図８】
2020009688.tif 000010
【図９】
2020009688.tif 000011
【図１０】
2020009688.tif 000012
【図１１】
2020009688.tif 000013
【図１２】
2020009688.tif 000014